(57)【要約】  【課題】  本発明は、流入口と流出口とを容易に識別可能であり、設置前において流入口又は流出口から異物、雨水等が入り込まない浄化槽の提供をすることを目的とする。  【解決手段】  本発明は、汚水の流入口と、処理水の流出口と、を備えた浄化槽であって、上記流入口及び流出口が、各々の口を閉塞するキャップを有し、このキャップの色を流入口と流出口とで異ならせた浄化槽である。また、本発明は、汚水の流入口と、処理水の流出口と、を備えた浄化槽であって、上記流入口及び流出口が、各々の口形状を異ならせ、異ならせた口を各々閉塞するキャップを有した浄化槽である。  【選択図】  図１０
2005349330.tif 000002
【特許請求の範囲】
【請求項１】
汚水の流入口と、処理水の流出口と、を備えた浄化槽であって、上記流入口及び流出口が、各々の口を閉塞するキャップを有し、このキャップの色を流入口と流出口とで異ならせた浄化槽。
【請求項２】
汚水の流入口と、処理水の流出口と、を備えた浄化槽であって、上記流入口及び流出口が、各々の口形状を異ならせ、異ならせた口を各々閉塞するキャップを有した浄化槽。
【請求項３】
請求項１又は２において、キャップが、平面部と、この平面部周囲に設けられたフランジ部とを備え、上記平面部に識別印を設けた浄化槽。
【請求項４】
請求項１又は２において、キャップが、平面部と、この平面部周囲に設けられたフランジ部とを備え、上記フランジ部の形状が、流入口を閉塞するキャップと、流出口を閉塞するキャップとで異なる浄化槽。
【請求項５】
請求項１乃至４のいずれかにおいて、キャップがシーディング剤を含有した浄化槽。
【請求項６】
請求項１乃至４のいずれかにおいて、キャップが消毒剤を含有した浄化槽。
【請求項７】
請求項１乃至４のいずれかにおいて、キャップがスペーサとなる浄化槽。
【発明の詳細な説明】
【技術分野】
【０００１】
本発明は、汚水の流入口と処理水の流出口とを有する浄化槽に関する。
【背景技術】
【０００２】
浄化槽は、主に下水道施設のない地域にて使用される水処理装置であり、流入させた汚水を微生物、化学薬品、又は、濾過膜等を用いて浄化処理し、その後に外部へと放流するものである。従来の浄化槽について、図１に示す浄化槽の平面図、図２に示す図１の浄化槽の側面図を用いて説明すると、浄化槽１には、汚水を流入させる流入口２と、汚水を処理した処理水の流出口３とが設けられており、浄化槽を設置する設置場所にて、汚水発生場所から浄化槽１へと汚水の移流を行う流入配管４、及び、流出口３から放流場所へと処理水の移流を行う流出配管５の接続を行う。
【０００３】
流入口２及び流出口３には、その開口に図３に示すようなキャップ９が嵌め込まれており、浄化槽１が、設置される迄の間に、流入口２又は流出口３の開口から石等の異物、雨水等が進入しないようにしている。また、キャップ９は、誤配管を防止するために、流入口２に取り付けるキャップと、流出口３に取り付けるキャップとで異ならせており、具体的に述べると、キャップの平面部の一部を肉厚とすることで文字を形成しており、図３に示すような「流入」又は「流出（図示省略）」といった識別できるものとしている。
【０００４】
また、配管を接続する開口を閉塞するキャップではなく、配管の開口を閉塞するキャップの中には、特許文献１に示されるような、キャップの色を変化させたものがある。
【特許文献１】特開２００１−１２４２８６
【発明の開示】
【発明が解決しようとする課題】
【０００５】
しかしながら、平面部の一部を肉厚とすることで文字を形成するものは、平面部と肉厚部とで同じ色になるため、その文字を読みづらく、浄化槽の設置現場等でクレーンにつり下げられた状態にて、流入口と流出口とを識別することは困難となっている。また、浄化槽の設置に慣れた者であっても、（ａ）浄化槽の種類は多い、（ｂ）流入口及び流出口の接地面からの高さは、同じか殆ど同じであり高さからの見分けができない、（ｃ）図１、図２に示すように浄化槽の形状が略左右対称であり、全体形状からの見分けもしづらい、といった問題がある。
【０００６】
更に、特許文献１に記載されるものは、識別性はあるものの、配管自体に取り付けるものであり、浄化槽の流入口又は流出口に取り付けられるものではない。
【０００７】
本発明は、流入口と流出口とを容易に識別可能であり、設置前において流入口又は流出口から異物、雨水等が入り込まない浄化槽の提供をすることを目的とする。
【課題を解決するための手段】
【０００８】
（１）本発明は、汚水の流入口と、処理水の流出口と、を備えた浄化槽であって、上記流入口及び流出口が、各々の口を閉塞するキャップを有し、このキャップの色を流入口と流出口とで異ならせた浄化槽である。
（２）本発明は、汚水の流入口と、処理水の流出口と、を備えた浄化槽であって、上記流入口及び流出口が、各々の口形状を異ならせ、異ならせた口を各々閉塞するキャップを有した浄化槽である。
（３）項（１）又は（２）において、キャップが、平面部と、この平面部周囲に設けられたフランジ部とを備え、上記平面部に識別印を設けた浄化槽。
（４）項（１）又は（２）において、キャップが、平面部と、この平面部周囲に設けられたフランジ部とを備え、上記フランジ部の形状が、流入口を閉塞するキャップと、流出口を閉塞するキャップとで異なる浄化槽。
（５）項（１）乃至（４）のいずれかにおいて、キャップがシーディング剤を含有した浄化槽。
（６）項（１）乃至（４）のいずれかにおいて、キャップが消毒剤を含有した浄化槽。
（７）項（１）乃至（４）のいずれかにおいて、キャップがスペーサとなる浄化槽。
【発明の効果】
【０００９】
本発明によれば、流入口と流出口とを容易に識別可能であり、浄化槽を設置する前において流入口又は流出口から異物、雨水が入り込まないようにすることができる。
また、キャップにシーディング剤又は消毒剤を含有させた場合には、浄化槽設置後にキャップを廃棄する必要がなく、有効活用することができる。
更に、キャップをスペーサとして使用する場合には、浄化槽の設置時に使用する専用の部材を兼用することになるので、部材数を少なくすることができる。
【発明を実施するための最良の形態】
【００１０】
本発明に用いる浄化槽の内部構造は、特に限定されるものではないが、嫌気処理槽、好気処理槽、消毒槽を有するものが好ましく用いられる。
嫌気処理槽は、嫌気性微生物が繁殖する濾床を有するものが特に好ましく、複数の嫌気処理槽を有するものであっても、前段に流量調整槽を有するものであっても良い。
好気処理槽は、好気性微生物による好気処理を行えるものであれば良く、好気性微生物が繁殖する担体を有するものを好ましく用いることができる。また、透過膜を用いて大腸菌等を濾過する膜処理装置を使用することもできる。
消毒槽は、大腸菌等の滅菌を行えるものであれば良く、特に塩素を用いたものが好ましい。また、膜処理装置を用いた場合は、濾過時に大腸菌等を濾過してしまうので、消毒槽を省いても良い。
【００１１】
本発明に用いるキャップの色は、成形材料に塗料を混入させて着色しても、成形品に塗装を行っても良い。用いる色は、特に限定されるものではないが、遠方からでも容易に識別できるように原色又は原色に近い色を用いることが好ましく、具体的には青色、赤色、緑色等を用いることができる。
【００１２】
本発明に用いるキャップの形状は、特に限定されるものではないが、流入口又は流出口を閉塞する平面部と、この平面部の周囲に設けられるフランジ部とを有するものが好ましく用いられる。平面部は、流入口と流出口とを識別する識別印を設けることが好ましく、識別印としては、「流入」、「流出」等の文字、絵文字、「四角」、「三角」、「丸」等の形状を用いることができ、印刷によって設けても、成形時に形により設けても良い。また、識別印は、識別印部分を盛り上げ、又は、掘り下げ（溝）として表すこともできる。フランジ部は、平面部の周縁と相似形のものでもよいが、切欠を入れること、フランジの周縁を波形とすすることもできる。
【００１３】
本発明に用いるキャップの材質は、鉄、ステンレス、アルミニウム等の金属、合成樹脂等を用いることもできるが、汚水処理に有用な菌を高濃度に保持したシーディング剤、滅菌に使用する塩素等も使用することができ、シーディング剤・塩素を使用する場合には、防水する必要があるので、ラップ等により成形されたシーディング剤、塩素を覆うようにする。
【００１４】
本発明に用いるキャップをスペーサとして使用する場合には、キャップの一部に斜面を形成することが好ましく、この斜面の角度は、流入口に用いるキャップと流出口に用いるキャップとで、同じにしても異ならせても良い。
【００１５】
図４は、本発明に用いる浄化槽の流入口部分の拡大断面図である。浄化槽外槽８には、流入口２を形成するソケット６が、ナット７により固定されており、浄化槽を設置する前まではキャップ９により流入口２を閉塞している。キャップ９は、浄化槽を設置する際に、図５に示すように取り外され、流入配管４をソケット６に取り付け、浄化槽への水路を形成する。また、図４及び図５では、流入口を説明しているが、流出口も同様の構造となっている。
【実施例１】
【００１６】
図６は、本発明の１実施例であるキャップの正面図及び側面図である。キャップ９の全体形状は、流入口と流出口とで同じにしてあるが、流入口を閉塞させるキャップは赤色にし、流出口を閉塞させるキャップは青色にしてある。また、キャップ９の平面部には、文字を印刷してあり、流入口を閉塞させるキャップは図６に示すように「流入」の文字とし、流出口を閉塞させるキャップは図示を省略しているが「流出」の文字としている。
【実施例２】
【００１７】
図７及び図８は、本発明の別の実施例であるキャップの正面図及び側面図である。図７に示すキャップ９は、流入口を閉塞するものであり、平面部１０に「流入」と印刷してある。また、平面部１０の周縁形状は、四角形となっており、流入口の形状も同様に四角形としている。図８に示すキャップ９は、平面部１０に「流出」と印刷してあり、文字を用いた識別印により流入口か流出口かの識別を行っている。また、文字が読めない、又は、読みづらい場合であっても、平面部１０の周縁形状を三角形としているので、流入口を閉塞する四角形との識別は容易であり、クレーン等に懸架した際のように離れた所からでも素早く判断することができる。更に、キャップ９の平面部周縁の形状にて四角形・三角形等のように角ができるものは、角を丸めることによりキャップ９の取り付け、取り外しが容易に行え、流入口又は流出口を構成する部材に傷等をつけることもなくなる。
【実施例３】
【００１８】
図９及び図１０は、本発明の別の実施例であるキャップの正面図及び側面図である。図９に示すキャップ９は、流入口を閉塞するものであり、平面部１０に「流入」と黒字にて印刷してある。また、フランジ部１１の周縁形状は、円形としている。図１０に示すキャップ９は、平面部１０に「流出」と白抜き文字で印刷してあり、文字を用いた識別印により流入口か流出口かの識別を行っている。また、フランジ部１１の周縁形状を波形としているので、図９に示す円形との識別は容易となっている。更に、図９に示すキャップ９は、成形材料に白色の顔料を混入させて成形品の色を白色にしており、黒字が目立つようにしてあり、図１０に示すキャップ９は、成形材料に黒色の顔料を混入させて成形品の色を黒色にしており、白抜き文字が目立つようにしている。
【実施例４】
【００１９】
図１１及び図１２は、本発明の別の実施例であるキャップの正面図及び側面図である。図１１に示すキャップ９は、流入口を閉塞するものであり、平面部１０に「流入」と白抜き文字で印刷してあり、文字部分を溝として凹ませるようにしている。また、フランジ部１１の周縁形状は、四角形としてあり、安全性を上げるために角部を丸くしている。
図１２に示すキャップ９は、流出口を閉塞するものであり、平面部１０に「流出」と白抜き文字で印刷してあり、文字部分を平面部より突出させている。また、フランジ部１１の周縁形状は、三角形としてあり、安全性を上げるために角部を丸くしている。
図１１及び図１２に示すキャップ９を１つの浄化槽に対で使用した場合には、文字、文字部分の凹凸及びフランジ部の周縁形状により流入口と流出口とを識別することができる。
【実施例５】
【００２０】
図１３は、本発明の別の実施例であるキャップの正面図及び側断面図である。キャップ９は、シーディング剤１２に凝固剤を添加し、平面部１０及びフランジ部１１を有した形状に成形したものであり、屋外保管時に雨による浸蝕を防止するために、表面を緑色のフィルム１３にて覆っている。また、平面部１０の表面にあるフィルム１３には、「流入」の黄色文字を印刷してある。尚、キャップ９と対で使用する流出口を閉塞するキャップは、同様の形状であるが、フィルムの色を青色としている。
キャップ９は、浄化槽設置後にフィルム１３を取り去り、浄化槽の内部に投入することで、汚水を浄化する菌を素早く増殖させることができ、浄化槽の立ち上げを素早くすることができる。
【実施例６】
【００２１】
図１４は、本発明の別の実施例であるキャップの正面図及び側断面図である。キャップ９は、容器１４にシーディング剤１２を充填し、赤色の表面フィルム１５を貼り付けたもので、表面フィルム１５には「流入」の黒字を印刷してある。また、容器１４の深さは、必要なシーディング剤１２の量により任意に調整でき、先に述べた図１３のシーディング剤のように凝固剤を添加する必要もない。キャップ９は、浄化槽設置後に表面フィルム１５を取り去り、充填してあるシーディング剤１２を浄化槽の内部に投入することで、汚水を浄化する菌を素早く増殖させることができ、浄化槽の立ち上げを素早くすることができる。
【実施例７】
【００２２】
図１５は、本発明の別の実施例であるキャップの正面図及び側断面図である。キャップ９は、図１４にて前述したものと同様に容器１４を用いたものであり、容器の封止を青色の表面フィルム１５にて行っている。表面フィルム１５には、「流入」の黒字を印刷してある。また、本実施例では、容器１４の中に塩素を用いた消毒剤１６が収納されており、浄化槽の設置後に表面フィルム１５を取り除いて消毒剤１６を出し、消毒槽に投入する。このようにすると、浄化槽の設置業者は、消毒剤を別途用意する必要がなく、廃棄するものも少量ですむ。
【実施例８】
【００２３】
図１６は、本発明の別の実施例であるキャップの正面図及び側断面図である。キャップ９は、周縁が円形であるフランジ部１１と、このフランジ部１１に対して傾斜を有する周縁が円形の斜面部１７とを有しており、成形材料に緑色の顔料を混入して着色した成形品である。また、斜面部１７には、白抜き文字により「流入」と印刷してある。このキャップ９は、浄化槽の設置現場にて取り外された後、図１７に示すように、浄化槽１の下面に挿入され、スペーサとして使用される。斜面部１７は、必ずしも必要としないが、斜面部のあるものは高さ調整が行いやすく、更に、斜面部に溝を形成したものは、その溝が滑り止めとなる。また、キャップ９をスペーサとして使用する場合には、浄化槽の重量及び浄化槽内の被処理水の重量の合算値の重量に耐えられるようにする必要がある。具体的には、斜面部１７にリブを形成することができる。
【図面の簡単な説明】
【００２４】
【図１】従来例を示す浄化槽の概略平面図である。
【図２】図１に示す浄化槽の概略側面図である。
【図３】従来例を示すキャップの正面図及び側面図である。
【図４】本発明の実施例である浄化槽の流入口部分の拡大断面図である。
【図５】本発明の実施例である浄化槽の流入口部分の拡大断面図である。
【図６】本発明の実施例であるキャップの正面図及び側面図である。
【図７】本発明の実施例であるキャップの正面図及び側面図である。
【図８】本発明の実施例であるキャップの正面図及び側面図である。
【図９】本発明の実施例であるキャップの正面図及び側面図である。
【図１０】本発明の実施例であるキャップの正面図及び側面図である。
【図１１】本発明の実施例であるキャップの正面図及び側面図である。
【図１２】本発明の実施例であるキャップの正面図及び側面図である。
【図１３】本発明の実施例であるキャップの正面図及び側断面図である。
【図１４】本発明の実施例であるキャップの正面図及び側面図である。
【図１５】本発明の実施例であるキャップの正面図及び側面図である。
【図１６】本発明の実施例であるキャップの正面図及び側面図である。
【図１７】本発明の実施例である浄化槽の底部拡大概略断面図である。
【符号の説明】
【００２５】
１…浄化槽、２…流入口、３…流出口、４…流入配管、５…流出配管、６…ソケット、７…ナット、８…浄化槽外槽、９…キャップ、１０…平面部、１１…フランジ部、１２…シーディング剤、１３…フィルム、１４…容器、１５…表面フィルム、１６…消毒剤、１７…斜面部
【図１】
2005349330.tif 000003
【図２】
2005349330.tif 000004
【図３】
2005349330.tif 000005
【図４】
2005349330.tif 000006
【図５】
2005349330.tif 000007
【図６】
2005349330.tif 000008
【図７】
2005349330.tif 000009
【図８】
2005349330.tif 000010
【図９】
2005349330.tif 000011
【図１０】
2005349330.tif 000012
【図１１】
2005349330.tif 000013
【図１２】
2005349330.tif 000014
【図１３】
2005349330.tif 000015
【図１４】
2005349330.tif 000016
【図１５】
2005349330.tif 000017
【図１６】
2005349330.tif 000018
【図１７】
2005349330.tif 000019